(57)【要約】【課題】組立てが容易・迅速に行え、昇・降用操作が容易で、不用意な降下が無く安全なベランダ用物干し装置の提供。【解決手段】ベランダの側壁等に固定可能な固定部材１と、上部にアームを有し、固定部材との間で摺動・掛止可能な昇降縦杆２とからなり、固定部材は、昇降縦杆と対向する面に、摺動用凹溝６を両側にもつ摺動用部５を設け、バネで一側方へ付勢された作動ロッド９を内装し、該作動ロッドに、バネ力に抗して押圧用の操作部片１０と、昇降縦杆側へ突出する掛止用ピンとを設け、昇降縦杆は、上記摺動用凹溝に係合するレール部１４を両側に有し、バネ力に抗して後退時の掛止用ピンが当接可能な縦側壁１６を形成し、かつ上下方向の数箇所に、前進時の掛止用ピンが係合可能な掛止用凹溝１７を、奥端が上方で下端が縦側壁側で開口する斜め状に形成する。【選択図】        図２
2005160746.tif 000002
【特許請求の範囲】
【請求項１】
ベランダの側壁３等に固定可能な固定部材１と、上部にアーム４を有すると共に、固定部材１との間で摺動・掛止可能な昇降縦杆２とからなり、
固定部材１は、昇降縦杆２と対向する面に、摺動用凹溝６を両側にもつ摺動用部５を設けて、バネ８で一側方へ付勢された作動ロッド９を内装し、該作動ロッド９に、バネ力に抗して前進させる押圧用の操作部片１０と昇降縦杆２側へ突出する掛止用ピン１３とを設け、
昇降縦杆２は、上記摺動用凹溝６に係合するレール部１４を両側に有し、レール部１４内側に全長にわたり固定部材１に対向する縦板状部１５を設けて、バネ力に抗して前進時の作動ロッド９の掛止用ピン１３の側部が当接可能な縦側壁１６を設けると共に、
上下方向の数箇所に、前進時の掛止用ピン１３が係合可能な掛止用凹溝１７を、奥端が上方で下端が縦側壁１６側で開口部１８を有するように斜め状に形成したことを特長とする、ベランダ用物干し装置。
【請求項２】
ベランダの側壁３等に固定可能な縦向きの固定部材１と、縦長の上部に竿掛け用アーム４を有すると共に、固定部材１との間で摺動・掛止可能な昇降縦杆２とからなり、
上記固定部材１は昇降縦杆２と対向する面に、横断面ほぼＬ型状の摺動用凹溝６または逆Ｌ型のレール部を両側に有する摺動用部５を設けるとともに、横移動可能でバネ８で一側方へ付勢された作動ロッド９を内装した操作部７を設けて、該作動ロッド９の一側端部にバネ力に抗して外部から押圧用の操作部片１０と、表側の操作部蓋板１１の横長孔１２から突出する掛止用ピン１３を設け、
他方、上記昇降縦杆２は固定部材１と対向する面に、固定部材１の摺動用凹溝６またはレール部と係合する横断面ぼぼ逆Ｌ型状のレール部１４またはＬ型状の摺動用凹溝を両側に形成し、バネ力に抗して前進時の作動ロッド９の掛止用ピン１３の側面が当接可能な縦側壁１６を形成するとともに、
上下方向の数箇所に、前進時の掛止用ピン１３が係合可能な掛止用凹溝１７を、奥端が上方で下端が縦側壁１６側で開口部１８となる斜め状に形成したことを特長とする、ベランダ用物干し装置。
【発明の詳細な説明】
【技術分野】
【０００１】
本発明は、主にベランダに設置して物干し竿を昇降可能に支持する装置に係るものであり、製造工程での組み立てを容易にしてコストダウンを図ると共に、主婦等の使用者による操作が容易で、かつ安全性を向上させるものである。
【背景技術】
【０００２】
洗濯物等の物干し台は従来一般に、左右一対で、上部に物干し竿を支持するアームを有し、下部を例えばコンクリート製の脚台に立設された縦杆からなるものであった。しかしこれは、設置可能な面積が広い場合はよいが、例えばマンション・アパート等のベランダ内はあまり広くないため、上記脚台が常にベランダ内で一定面積を占めたり、ベランダ内の両側寄りでアームや縦杆が常に突き出していることは、ベランダの利用空間を一層狭くしてしまう。
【０００３】
そこで、ベランダ用として脚台をコンパクト化し、かつ脚台下部にキャスターを設けたものがある。
【特許文献１】特開２００２−３６９９９９号公報  これは、ベランダに設置するための床面積を少なくするが、狭いベランダの床面積をやはり脚台が占拠することになり、ベランダの活用面積を狭めていた。
【０００４】
また、物干し装置をベランダの天井部に固設するものも提案されている。
【特許文献２】実開平０６−２４６８８号公報
【特許文献３】特開２００２−５８８９７公報
【特許文献４】特開２００３−２３０７９８報  これらは、ベランダに設置するための床面積を不要とするが、建物の建築時に設置されていないと、事後の取付け工事は手間がかかって難しいし、天井からそれら装置が垂設されていることで、圧迫感を覚える住人もいる。
【０００５】
さらに、装置の一部をベランダ内の側壁や柵に固定可能として、また不使用時に嵩張らぬようにアームが上下または横向きに回動可能で、かつアームを支持する縦杆を昇降可能としたものが提案されている。
【特許文献５】特開２００３−３３６００号公報
【特許文献６】特開２００３−１１７２９５号公報  これらは、ベランダ側壁や柵等へ固定する固定部材と、上部にアームを有すると共に、固定部材に沿って昇降可能な昇降縦杆とからなり、昇降縦杆には上下方向へほぼ等間隔状に数個の掛止用横孔を形成し、固定部材には、バネ力で後退して上記昇降縦杆のいずれかの横孔内へ突出する掛止用ロッドを設け、かつ上部または下部に外部から該ロッドをバネに抗して前進させる操作部片を設けたものである。
【発明の開示】
【発明が解決しようとする課題】
【０００６】
ところが、上記特許文献５及び６のベランダ用物干し装置には、次のような問題点があった。
ａ）昇降縦杆を所定位置で掛止させ、また昇降可能とする操作部の構造が複雑であったり、組立て時のことがあまり考慮されていないため、組立て作業を容易・迅速に行えず、それゆえに製品のコスト高に繋がっていた。
【０００７】
ｂ）また洗濯物等を干すのに物干し竿を高い位置へ上げようとする場合は、固定部材に設けた操作部片を片方の手で押し、バネ力に抗して掛止用ロッドを前進させて掛止用横孔から離脱させ、フリー状態になった昇降縦杆を他方の手で押し上げている。いまその操作部片を押すのを止めるとロッドがバネ力で後退するから、該ロッドは次ぎ位置の横孔に係合してしまい、昇降縦杆をそれ以上に押し上げられなくなる。そのため、片方の手で常に操作部片を押し続けた状態で、他方の手で昇降縦杆を押し上げる必要があり、常に両手での操作が必要であった。
【０００８】
ｃ）他方、洗濯物等を外すため物干し竿を下ろす場合は、片方の手で操作部片を押してバネ力に抗して掛止用ロッドを前進させ、該ロッドを一旦掛止用横孔から離脱させて昇降縦杆をフリー状態にする。これで昇降縦杆はその自重や洗濯物の重み等で下降するが、いま操作部片を押すのを止めると、バネ力で後退するロッドが必ずしも次ぎ位置の横孔にうまく係合するとは限らない。昇降縦杆が一挙に最下段まで下降してしまうことがあって危険なので、他方の手で昇降縦杆を支えながら下ろす必要があり、やはり両手で操作を行う必要があった。
【０００９】
本発明は、上記従来のベランダ用物干し装置が有する問題点の解消を課題としたものである。即ち本発明の目的は、構造をより一層シンプル化して、製造工程での組み立てが容易でコストダウンを図れると共に、主婦等が物干し竿を昇・降させる際の操作が容易で、かつ不用意な降下による危険が無いように安全性を向上させた、ベランダ用物干し装置を提供することにある。
を提供することにある。
【課題を解決するための手段】
【００１０】
本発明に係るベランダ用物干し装置は、
ベランダの側壁３等に固定可能な固定部材１と、上部にアーム４を有し、固定部材との間で摺動・掛止可能な昇降縦杆２とからなり、
固定部材１は、昇降縦杆２と対向する面に、摺動用凹溝６を両側にもつ摺動用部５を設けて、バネ８で一側方へ付勢された作動ロッド９を内装し、該作動ロッド９に、バネ力に抗して前進させる押圧用の操作部片１０と昇降縦杆２側へ突出する掛止用ピン１３とを設け、
昇降縦杆２は、上記摺動用凹溝６に係合するレール部１４を両側に有し、レール部１４内側に全長にわたり固定部材１に対向する縦板状部１５を設けて、バネ力に抗して前進時の作動ロッド９の掛止用ピン１３の側部が当接可能な縦側壁１６を設けると共に、
上下方向の数箇所に、前進時の掛止用ピン１３が係合可能な掛止用凹溝１７を、奥端が上方で下端が縦側壁１６側で開口部１８を有するように斜め状に形成したものである。
【００１１】
上記構成において、固定部材１の摺動用部５と昇降縦杆２のレール部１４は、後者１４が上下方向へ摺動可能だが、横方向へ離脱しない横断面形状にしておく。操作部７は、内装した作動ロッド９の表側に操作部蓋板１１を設け、そこに形成した横長孔１２から掛止用ピン１３を昇降縦杆２側へ突出させておくことが望ましい。また操作部蓋板１１は、これにを被せることで摺動用凹溝６が形成されるようにしておくのがよい。
【発明の効果】
【００１２】
上記本発明に係るベランダ用物干し装置は、次のような効果を奏する。
ａ）このベランダ用物干し装置の製造は、固定部材１および昇降縦杆２の本体部分は、例えばアルミダイカストによれは容易に製造できる。また固定部材１の操作部７は、例えばコイル状のバネ８を套合させた作動ロッド９を横移動可能に内装して、その上から操作部蓋板１１を被せてボルト止めする構造にしておけば（例えば図３，図４参照）、組み立てを容易・迅速に行える。
【００１３】
ｂ）このベランダ用物干し装置の取付けは、両側の固定部材１を、上記の如くベランダの側壁３または柵へ例えば固定用ボルト２２で固定すればよく（例えば図１参照）、取付け工事は建物の建築後においても容易に取り付けることができる。
【００１４】
ｃ）このベランダ用物干し装置を使用しない場合は、昇降縦杆２を下方位置へ下げておけばよく（例えば上記図１の実線参照）、また可動式としてあればアーム４も下げておけばよいので、嵩張らずベランダの有効利用な空間が狭くならない。その際には、昇降縦杆２の上部寄りの掛止用凹溝１７の奥端に、バネ力で後退した作動ロッド９の掛止用ピン１３が係合している（例えば図５、図７の１３ａを参照）。
【００１５】
ｄ）このベランダ用物干し装置で洗濯物等を干す場合には、片方の手で昇降縦杆２を持って、そのまま押し上げるだけの操作で行うことができる。即ち、掛止用凹溝１７に係合している掛止用ピン１３は、昇降縦杆２が上昇することにより斜め状の掛止用凹溝１７も上昇するから、該掛止用凹溝１７内を斜め下方へバネ力に抗して移動し、縦側壁１６側の開口部１８から抜け出て（例えば図７の１３ｂ参照）、昇降縦杆２の縦側壁１６に当接状になる（例えば上記図７の１３ｂ参照）。
【００１６】
そのまま昇降縦杆２を押し上げると、縦側壁１６が掛止用ピン１３に当接しながら（例えば上記図７の１３ｃ参照）上昇するが、該掛止用凹溝１７は奥端が上方で開口部１８が下方の傾斜状に形成されているから、上昇中の昇降縦杆２の掛止用凹溝１７に掛止用ピン１３が係合することがなく、各開口部１８に当たってカタ、カタと音を出すだけである。      
【００１７】
所望の高さに押し上げた際にも掛止用凹溝１７の開口部１８に掛止用ピン１３が当たって音がするので、そこで昇降縦杆２を押し上げるのを止めればよい。昇降縦杆２が自重で下降しようとしても、バネ８で横方向へ付勢された掛止用ピン１３が、上記の如く、斜め下方に開口部１８をもつ掛止用凹溝１７内へ直ちに進入し、該掛止用凹溝１７に沿って斜め上方へ前進して奥端に係合する（上記図５、図７の１３ａ参照）。
【００１８】
これで、昇降縦杆２はその高さを維持できるとともに、昇降縦杆２が不用意に下降することも無く安全性に優れる。
【００１９】
ｅ）次に、洗濯物等を取り入れるために昇降縦杆２を下降させる場合には、昇降縦杆２を少し持ち上げてから、固定部材１側の操作部片１０を指で押せばよい。昇降縦杆２を少し持ち上げることで斜め状の掛止用凹溝１７も上昇するから、奥端の掛止用ピン１３はバネ力に抗して斜め下方へ移動し、開口部１８から離脱して掛止状態が解ける（例えば図７の１３ｂ参照）。この昇降縦杆２を少し持ち上げることは、操作部片１０に何かが当たったり、誤って押したような場合に、昇降縦杆２が不用意に下降する危険を防止する安全機構となっている。
【００２０】
掛止用ピン１３が開口部１８から離脱した上記の状態で、操作部片１０を押すことにより、掛止用ピン１３は掛止用凹溝１７に係合せず縦側壁１に当接した状態が維持されるから（例えば状図７の１３ｅ参照）、昇降縦杆２は自重や干し竿・洗濯物等の重みにより下降可能となる。
【００２１】
これで昇降縦杆２は下降し始めるので、その状態で操作部片１０を押すのを止めればよい。作動ロッド９が再びバネ力により後退しようとするから、掛止用ピン１３は次に下降してくる掛止用凹溝１７の斜め下方へ開口した開口部１８に係合し、奥端に達する。そのため、昇降縦杆２の下降は一旦その状態で掛止されることになり、一挙に最下段まで下降してしまうことを防止でき、危険性が解消されている。
【００２２】
更に下方まで昇降縦杆２を下降させたい場合には、もう一度上記と同様の操作をすればよい。掛止用ピン１３が掛止用凹溝１７から離脱して、もう一段下の掛止用凹溝１７の位置まで下げることができる。もしも一挙に最下段まで下げようとする場合には、操作部片１０を指で押し続ければよく、その場合は連続的に下降するから、他方の手で昇降縦杆２を持ち下降速度を調節すればよい。
【発明を実施するための最良の形態】
【００２３】
上記固定部材１や昇降縦杆２は、アルミダイカストで製造することが望ましい。また摺動縦杆２上部の竿掛け用アーム４は、縦軸および横軸により、上下方向および左右方向へ可回動としてあることが望ましい。
【００２４】
上記固定部材１の摺動用部５は、横断面ほぼＬ型状の摺動用凹溝６、または逆Ｌ型のレール部を形成したものとし、他方昇降縦杆２には、横断面ぼぼ逆Ｌ型状のレール部１４、またはＬ型状の摺動用凹溝を形成しておけばよい。しかし上記Ｌ型状や逆Ｌ型状は、一側縁を加えてＴ型状や逆Ｔ型状としてもよい。また固定部材１の摺動用部５は、操作部７を内装するものとして、その操作部蓋板１１が摺動用部５の逆Ｌ型状またはＬ型状の一部を形成するようにしておくことが望ましい（例えば上記図３，図４参照）。
【００２５】
固定部材１の操作部７は、横移動可能に設けた作動ロッド９に圧縮コイルバネ８を套合させて一側方へ付勢させ前進させるようにしておくのが望ましく、また該作動ロッド９をバネ力に抗して前進させる押圧用の操作部片１０は、操作部７の側方へ突出するように設けておくのがよい。掛止用ロッド９から突設した掛止用ピン１３は、操作部蓋板１１に形成した横長孔１２から昇降縦杆２側へ突出するようにしておくことが望ましい（例えば上記図３参照）。
【００２６】
昇降縦杆２内の縦側壁１６は、レール部１４内側に全長にわたり固定部材１に対向する縦板状部１５を設けて、バネ力に抗して前進時の作動ロッド９の掛止用ピン１３の側部が当接可能な位置に設けて縦側壁１６を設けおけばよい。
【００２７】
またバネ８で付勢された作動ロッド９が係合可能な掛止用凹溝１７は、昇降縦杆２の上下方向の数箇所に、奥端が上方になるように斜め状で、かつ縦側壁１６側で切り欠いた開口部１８をもつように形成してあるのがよい（例えば上記図７参照）。
【００２８】
上記形態によって、このベランダ用物干し装置は、製造工程での組み立てが容易になってコストダウンを図れるとともに、主婦等の使用者による操作が容易で、かつ作動時の安全性も向上したものになっている。
【００２９】
なお図示は省略するが、固定部材１の摺動用部５内には、消音・防振用に例えばゴム片のような弾性板片を、摺動を妨げない状態で介装させておくことが望ましく、昇降時や強風時等の音・振動を防止できる。
【実施例１】
【００３０】
図１ないし図７は、本発明に係るベランダ用物干し装置の実施例を示し、ここではベランダの側壁３に固定可能な縦向きの固定部材１と、上部に竿掛け用アーム４を有し、固定部材１との間で上下方向へ摺動可能な縦長の昇降縦杆２とからなる。
【００３１】
上記固定部材１は、ここではアルミダイカスト製で、縦に約２２．０ｃｍ、横幅が約４．０ｃｍの縦長状で、昇降縦杆２と対向する面の上・下部側に、前方へ約４．０ｃｍほど突出させて摺動用部５を有する。各摺動用部５は、昇降縦杆２のレール部１４が係合可能に横断面ほぼＬ型状の摺動用凹溝６を両側に設けてあり、かつここでは上部の摺動用部５に操作部７が設けてあって、操作部蓋板１１との間でレール部１４を係合可能な摺動凹溝６が形成されるようにしてある。
【００３２】
その操作部７は、摺動用部５に形成した横方向のロッド係合用凹溝２０に、横移動可能に円柱状の作動ロッド９を横向きに係合させるとともに、該ロッド９に圧縮コイルバネ８を套合させて、該ロッド９を一側方（例えば図５，図７で右方）へ後退するように付勢させてある。
【００３３】
また該作動ロッド９の胴部中央寄りには、昇降縦杆２側へ向けて突き出す掛止用ピン１３を突設させてあり、また該ロッド９の一端部には、外部からバネ力に抗して前進させるように押圧用の操作部片１０を設けてある。
【００３４】
さらに該操作部７は、ロッド係合用凹溝２１に係合した作動ロッド９の脱落を防止のため、ネジ１９で固定可能な操作部蓋板１１を有するが、この操作部蓋板１１に形成した横長孔１２に上記掛止用ピン１３を横移動可能に係合させてあり、該ピン１３はさらにここでは約３．０ｍｍ程を、昇降縦杆２側へ突出させてある。
【００３５】
上記昇降縦杆２は、ここではアルミ合金製で縦方向に約９０ｃｍの長さを有し、固定部材１と対向する面の両側に、固定部材１の摺動用凹溝６に係合する横断面ぼぼ逆Ｌ型状のレール部１４を有するとともに、両側のレール部１４間内に全長にわたって縦板部１５を形成してある。
【００３６】
該縦板部１５の幅方向のほぼ中間位置には、昇降縦杆２内へ直角状に屈曲させた縦側壁１６を形成し、上記固定部材１の掛止用ピン１３が前進時に側面を該縦板部１５に沿って当接し、かつ摺動可能としてある。
【００３７】
また該縦板部１５の上下方向の数箇所、ここでは３箇所に、バネ力で後退時の作動ロッド９の掛止用ピン１３が係合可能な掛止用凹溝１７を、奥端が上方で下端が縦側壁１５を切り欠いた開口部１８となるように、斜め状に形成してある。ここでは該掛止用凹溝１７を、約２２ｃｍ間隔で３か所に、傾斜角が約３０度に形成してある。
【００３８】
なお図示は省略したが、上記のように固定部材１の摺動用部５には、レール部１４と接触する部分に消音兼防振用の合成ゴム製板片を装着しておく。２１は固定用ボルトとしてのアンカーボルトで、２２は固定用孔を示す。上記実施例の説明で示した材質・寸法等はそれに限るものでないことは勿論である。
【図面の簡単な説明】
【００３９】
【図１】本発明に係るベランダ用物干し装置の使用状態を示す一部切欠き全体側面図である。
【図２】図１で示したものの要部を示す斜視図である。
【図３】図１で示したものの固定部材を示す斜視図である。
【図４】図３で示したものの一部を示す分解斜視図である。
【図５】昇降縦杆が掛止された状態時の拡大横断平面図である。
【図６】昇降縦杆が昇・降可能状態時の拡大横断平面図である。
【図７】固定部材側の掛止用ピンと昇降縦杆側の掛止用凹溝、縦側板と関係を示す図である。
【符号の説明】
【００４０】
１−固定部材
２−昇降縦杆
３−側壁
４−アーム
５−摺動用部
６−摺動用凹溝
７−操作部
８−バネ
９−作動ロッド
１０−操作部片
１１−操作部蓋板
１２−横長孔
１３，１３ａ，１３ｂ，１３ｃ，１３ｄ，１３ｅ−掛止用ピン
１４−レール部
１５−縦板部
１６−縦側壁
１７−掛止用凹溝
１８−開口部
１９−蓋板取付け用ネジ
２０−ロッド係合用凹溝
２１−固定用ボルト
２２−固定用孔
【図１】
2005160746.tif 000003
【図２】
2005160746.tif 000004
【図３】
2005160746.tif 000005
【図４】
2005160746.tif 000006
【図５】
2005160746.tif 000007
【図６】
2005160746.tif 000008
【図７】
2005160746.tif 000009